(57)【特許請求の範囲】
【請求項１】
基板上に、
走査線及びデータ線に対応して設けられた薄膜トランジスタと、
該薄膜トランジスタに対応して設けられた画素電極と、
前記画素電極に接続された画素電位側容量電極、誘電体膜及び固定電位側容量電極を順次積層してなる蓄積容量とを備えてなり、
前記固定電位側容量電極は透明導電性材料からなるとともに、前記画素電極に覆われる領域全面にまで延在して形成されていることを特徴とする電気光学装置。
【請求項２】
前記固定電位側容量電極は、前記データ線及び前記画素電位側容量電極間に層間絶縁膜を介して配置されている請求項１に記載の電気光学装置。
【請求項３】
前記画素電極及び前記薄膜トランジスタ並びに前記データ線及び前記薄膜トランジスタの少なくとも一方を電気的に接続するコンタクトホールを更に備え、
前記固定電位側容量電極には、前記コンタクトホールが形成される位置に応じた孔が形成されていることを特徴とする請求項１又は２に記載の電気光学装置。
【請求項４】
前記走査線及び前記データ線のそれぞれは、マトリクス状に配列された前記画素電極間を縫うように複数配設されてなり、
前記固定電位側容量電極は、前記画素電位側容量電極及び前記データ線間に配置されるとともに、複数の前記データ線のうちの少なくとも一のデータ線に沿って形成されていることを特徴とする請求項１又は２に記載の電気光学装置。
【請求項５】
前記画素電位側容量電極は、遮光性材料からなることを特徴とする請求項１乃至４のいずれか一項に記載の電気光学装置。
【請求項６】
前記画素電位側容量電極は、多層構造を有することを特徴とする請求項５に記載の電気光学装置。
【請求項７】
前記固定電位側容量電極の厚さは、５０〜５００ｎｍであることを特徴とする請求項１乃至５のいずれか一項に記載の電気光学装置。
【請求項８】
前記固定電位側容量電極下に位置する層間絶縁膜の表面には、平坦化処理が施されていることを特徴とする請求項１乃至７のいずれか一項に記載の電気光学装置。
【請求項９】
前記固定電位側容量電極に代えて又は加えて、前記画素電位側容量電極が透明導電性材料からなることを特徴とする請求項１乃至４又は７若しくは８のいずれか一項に記載の電気光学装置。
【請求項１０】
請求項１乃至９のいずれか一項に記載の電気光学装置を具備してなることを特徴とする電子機器。
【発明の詳細な説明】
【０００１】
【発明の属する技術分野】
本発明は、液晶装置等の電気光学装置及び電子機器の技術分野に属し、特に、画素電極に対してデータ線を通じ画像信号を供給することで画像表示が可能であるとともに、該画素電極における前記画像信号に応じた電位保持特性を向上させるためコンデンサの一種たる蓄積容量を備えた電気光学装置、及びそのような電気光学装置を具備してなる電子機器の技術分野に属する。
【０００２】
【背景技術】
従来、マトリクス状に配列された画素電極及び該電極の各々に接続された薄膜トランジスタ（Thin Film Transistor；以下適宜、「ＴＦＴ」という。）、該ＴＦＴの各々に接続され、行及び列方向にそれぞれ平行に設けられた走査線及びデータ線等を備えるとともに、前記走査線に対しては走査線駆動回路による駆動が、前記データ線に対してはデータ線駆動回路による駆動が、それぞれ行われることによって、いわゆるアクティブマトリクス駆動が可能な電気光学装置が知られている。
【０００３】
このような電気光学装置においては、上述したＴＦＴ及び画素電極等を備えたＴＦＴアレイ基板上に更に、ＴＦＴ及び画素電極に接続された蓄積容量が備えられることがある。この蓄積容量により、画素電極に印加された電位を一定期間保持することが可能となり、その電位保持特性を顕著に向上させることが可能となる。
【０００４】
より具体的には、前記蓄積容量は、誘電体膜を挟んだ一対の電極からなり、そのうちの一方の電極は、前記画素電極に接続されその電位と同一の電位となる画素電位側容量電極、他方の電極は、固定電位とされた固定電位側容量電極とされるのが一般的である。また、従来、走査線の延在する方向に沿って容量線を形成し、この容量線の一部を、固定電位側容量電極として利用する構成もあった。
【０００５】
【発明が解決しようとする課題】
しかしながら、上述のような電気光学装置においては、前述の蓄積容量を構成する固定電位側容量電極における配線遅延が生じることで、画像上にクロストークを生じさせるなどの結果、画質の劣化を招くという問題点があった。これは、電気光学装置をより小型に、あるいはより高精細にという大きな目的の下、電気光学装置を構成する固定電位側容量電極その他の各種構成要素の狭小化が図られていることによる。つまり、固定電位側容量電極の狭小化が進むことによって、その電気抵抗値が高まり、配線遅延が生じることとなっているのである。
【０００６】
このような問題に対処するため、例えば、固定電位側容量電極を厚くするという試みが考えられる。これによれば、該固定電位側容量電極の断面積は大きくなり、その電気抵抗値を小さくすることが可能となるからである。しかしながら、固定電位側容量電極を厚膜化すると、以下のような種々の問題が新たに生じる。
【０００７】
第一に、該固定電位側容量電極の内部応力の問題である。すなわち、固定電位側容量電極を厚膜化すると、その内部に作用する応力が大きくなり、時には、自らを破壊に至らしめたり、あるいは該応力が外部に発散・作用することによって、固定電位側容量電極の周囲に形成された各種構成（例えば、層間絶縁膜等）にクラックを生じさせるなどといった不具合を生じさせる可能性があるのである。また第二に、厚膜化された固定電位側容量電極に対するエッチングその他の加工の困難性が増すことである。例えば、蓄積容量が、下から順に画素電位側容量電極、誘電体膜及び固定電位側容量電極という積層構造を有する場合であって、固定電位側容量電極に対してコンタクトホールを開孔しなければならない等の場合においては、その下に位置する誘電体膜に対する当該加工の影響を考えあわせながら、厚膜化された固定電位側容量電極に対するエッチングを適正に実施することは一般に困難が伴う。悪い場合には、画素電位側容量電極と固定電位側容量電極との短絡という場合も生じることになる。さらに第三に、固定電位側容量電極を厚膜化すると、その上層の構成に段差を生じさせるという問題もある。
【０００８】
また、従来においては、ＴＦＴに対する光入射を防止するため、固定電位側容量電極に対して遮光性能が求められることがあった。これは、ＴＦＴ、とりわけそのチャネル領域に対して光が入射すると光リーク電流が発生し、画像上にフリッカ等を生じさせることがあるからである。このような不具合を解消するためには、例えば、該固定電位側容量電極を、遮光性材料、すなわち例えばＷＳｉ（タングステンシリサイド）等の高融点金属等から構成すると有効ではあるが、そのような材料を用いると、上述の応力の問題や加工困難性等の問題はより深刻となる。つまり、固定電位側容量電極に対して、それが低抵抗化されるべきであるということと、遮光性能をもつべきであるということとは、一般に相反する要求になると考えられるのである。
【０００９】
本発明は、上記問題点に鑑みてなされたものであり、蓄積容量を構成する固定電位側容量電極の配線遅延を問題化させないことにより、高品質な画像を表示することの可能な電学光学装置及び電子機器を提供することを課題とする。また、本発明は、ＴＦＴに対する光入射を防止することで、フリッカ等のない高品質な画像を表示することの可能な電気光学装置及び電子機器を提供することをも課題とする。
【００１０】
【課題を解決するための手段】
本発明の電気光学装置は、上記課題を解決するため、基板上に、走査線及びデータ線に対応して設けられた薄膜トランジスタと、該薄膜トランジスタに対応して設けられた画素電極と、前記画素電極に接続された画素電位側容量電極、誘電体膜及び固定電位側容量電極を順次積層してなる蓄積容量とを備えてなり、前記固定電位側容量電極は透明導電性材料からなる。
【００１１】
本発明の電気光学装置によれば、まず、走査線を通じて、薄膜トランジスタの動作を制御することが可能となるとともに、データ線を通じて、前記薄膜トランジスタを介して画素電極に画像信号を書き込むことが可能となることで、いわゆるアクティブマトリクス駆動を行うことが可能である。また、本発明に係る電気光学装置には、蓄積容量が備えられていることにより、画素電極における電位保持特性が顕著に向上することとなる。
【００１２】
なお、上記構成に加えて、共通電極を有する対向基板、該対向基板及び前記基板間に挟持されてなる液晶等の電気光学物質（以下、「液晶」で代表する。）等を備え、前記画素電極及び前記共通電極間（すなわち、画素毎の液晶）に所定の電位差を与えることによれば、該液晶の配向状態を変更させ、その光の透過率を変更させることが可能となる。よって、このような液晶に、前記基板における反射光又は前記基板を透過する透過光を入射させるようにしておけば、前記透過率の変更に応じて該液晶を抜けてきた出射光の階調を変化させることが可能となるから、画像を表示することが可能となる。この場合において、液晶中を光が透過する領域は、前記画素電極が形成された領域及びその上下の領域が、ほぼそれに該当することとなり（以下、当該領域のことを指して、「開口領域」という。）、それ以外の、走査線及びデータ線等が備えられる領域は、非開口領域ということになる。
【００１３】
ここで特に、本発明においては、前記蓄積容量を構成する固定電位側容量電極、誘電体膜及び画素電位側容量電極のうち、固定電位側容量電極は、透明導電性材料からなる。したがって、本発明によれば、固定電位側容量電極の形態を、従来に比べて極めて自由に選択し得ることになる。というのは、「透明」であるから、仮に、該固定電位側容量電極が開口領域の全部又は一部を覆うような形で形成されたとしても、光の通過を大きく阻害するようなことがなく、画像表示に重大な悪影響を及ぼさないからである。つまり、この場合においては、平面的に面積を広げるような形で固定電位側容量電極を形成することによって、低抵抗化を図ることができることになる。なお、この場合、固定電位側容量電極を厚膜化する必要はないから、そうすることによって生じる、背景技術の項で述べたような種々の不具合を被ることもない。
【００１４】
以上のように、本発明によれば、固定電位側容量電極における配線遅延の問題を有効に解決することが可能となり、高品質な画像を表示することが可能できるのである。
【００１５】
なお、本発明に係る固定電位側容量電極の具体的形態については、後述する本発明の各種態様で述べるように、例えばベタ状に形成したり、あるいはデータ線に沿うように形成したりすると好適ではあるが、本発明は、そのような形態に特に限定されるものではない。要は、配線遅延が問題とならないような低抵抗化が図れるように、固定電位側容量電極の「面積」を確保し、あるいは、低抵抗化を図りうる「形態」を採用すれば、それでよいのである。なお、この場合における「面積」の大きさ、あるいは固定電位側容量電極の形態を具体的にどのようにするかは、実験的、経験的、理論的、あるいはシミュレーションによって適宜定め得る。
【００１６】
また、本発明にいう「透明導電性材料」とは、例えば、ＩＴＯ（Indium Tin Oxide）、ＩＺＯ（Indium Zinc Oxide）等であればよい。
【００１７】
さらに、本発明にいう「蓄積容量」を構成する三要素、すなわち画素電位側容量電極、誘電体膜及び固定電位側容量電極からなる積層構造は、相対的な関係においてこの順序が守られていればよい。例えば、下から順に、画素電位側容量電極、誘電体膜及び固定電位側容量電極という積層構造であってもよいし、その逆に、上から順に当該積層構造が実現されていてもよい。
【００１８】
加えて、本発明にいう「電気光学物質」としては、上述したように、液晶が該当する場合が典型的であるが、その他にも、適当なバインダ内に分散された粉末ＥＬ（エレクトロ・ルミネッセンス）、あるいは無機又は有機ＥＬ等もまた該当し得る。この場合においては、走査線及びデータ線に対する適当な通電を行うことによってＥＬに対して電界を印加することが可能となり、これにより該ＥＬ自身が発光することで、画像が表示されるというメカニズムになるが、このような「ＥＬ表示装置」においても、上述のＴＦＴ、走査線及びデータ線、蓄積容量等が備えられる場合が考えられることからすると、そのような場合においても、本発明の適用は当然に可能である。
【００１９】
本発明の電気光学装置の一態様では、前記固定電位側容量電極は、前記画素電極の形成領域に対応する開口領域の少なくとも一部を覆うように形成されている。
【００２０】
この態様によれば、既に述べたように、固定電位側容量電極を開口領域に至るような比較的大きな面積を有する形状で形成し得ることにより、その低抵抗化が図れ、もって配線遅延の問題を有効に解消することが可能である。また、該固定電位側容量電極は「透明」であるから、これを開口領域に至るように形成したとしても、画像上の明るさを著しく損ねるというようなことがなく、画像の品質を高位に保つことが可能である。
【００２１】
本発明の電気光学装置の一態様では、前記固定電位側容量電極は、前記基板上で、ベタ状に形成されている。
【００２２】
この態様によれば、固定電位側容量電極がベタ状に形成されていることから、配線遅延の問題は殆ど生じ得ない。すなわち、本態様によれば、上述したような作用効果をより確実に享受することが可能となるのである。なお、この場合においては、一般に、固定電位側容量電極と開口領域とを平面視すると、それらが重なり合う領域が必ず存在することとなるが、そのような場合であっても、固定電位側容量電極が「透明」であることにより、画像の品質を貶めるようなことがないのは既に述べたとおりである。
【００２３】
本発明の電気光学装置の他の態様では、前記固定電位側容量電極は、前記データ線及び前記画素電位側容量電極間に層間絶縁膜を介して配置されている。
【００２４】
この態様によれば、固定電位側容量電極が電気シールドとして作用しうることにより、データ線及び画素電側容量電極間の容量カップリングの発生を抑制することが可能となる。これにより、画素電位側容量電極に接続された画素電極の電位が、前記容量カップリングによって変動するというような事態を未然に回避することが可能となるから、例えばデータ線に沿った形の表示ムラを画像上に発生させるといった可能性を殆ど排除することが可能となる。したがって、本構成によれば、より高品質な画像を表示することができる。
【００２５】
なお、この構成においては、上又は下から順に、画素電位側容量電極、固定電位側容量電極及びデータ線という積層構造が予定されているが、上述したように、蓄積容量を構成する三要素の積層構造は、これらの相対的な関係が守られている限り、具体的にどのようなものであってもよいから、場合によっては、基板上において、下から順に、データ線、固定電位側容量電極及び画素電側容量電極という積層構造を作り込んでもよい。
【００２６】
また、固定電位側容量電極がベタ状に形成される態様（その各種態様も含む。）では更に、前記画素電極及び前記薄膜トランジスタ並びに前記データ線及び前記薄膜トランジスタの少なくとも一方を電気的に接続するコンタクトホールを更に備え、前記固定電位側容量電極には、前記コンタクトホールが形成される位置に応じた孔が形成されているようにするとよい。
【００２７】
このような構成によれば、コンタクトホールの形成を無理なく行うことができるから、本発明に係る電気光学装置を構成する、上述した各種構成間の電気的な接続を無理なく実現することができる。
【００２８】
なお、本態様にいう「孔」は、該孔が設けられる固定電位側容量電極が、配線遅延を解消するために要求される面積を有するように形成されれば、それで足りるという事情に鑑み、特に精度高く形成される必要はない。すなわち、当該孔は、前記コンタクトホールを貫通させるに足りる十分な大きさの孔であって、固定電位側容量電極の面積を著しく減少させるような大きさの孔でなければよく、製造上、特段の注意を要しないのである。
【００２９】
本発明の電気光学装置の他の態様では、前記走査線及び前記データ線のそれぞれは、マトリクス状に配列された前記画素電極間を縫うように複数配設されてなり、前記固定電位側容量電極は、前記画素電位側容量電極及び前記データ線間に配置されるとともに、複数の前記データ線のうちの少なくとも一のデータ線に沿って形成されている。
【００３０】
この態様によれば、固定電位側容量電極が、前記画素電位側容量電極及び前記データ線間に配置され、かつ、少なくとも一のデータ線に沿って形成されていることにより、該データ線と該画素電位側容量電極との間で、該固定電位側容量電極が電気シールドとして作用し得ることになるから、この両者間で容量カップリングの生じることを未然に防止することが可能となる。したがって、画素電位側容量電極に接続される画素電極における電位変動を生じさせるなどということがないから、高品位な画像を表示することが可能となる。このような作用効果は、上述したベタ状に固定電位側容量電極を形成する形態にあっても同様に享受しうる。
【００３１】
なお、本態様にいう「データ線に沿って形成」というのは、データ線の直上又は直下に固定電位側容量電極が形成される場合を当然に含む他、該データ線の幅を超えるような固定電位側容量電極が形成される場合をも含む。このような場合、固定電位側容量電極の縁部は開口領域に至るような形となるが、既に述べたように、本発明に係る固定電位側容量電極は透明導電性材料からなるから、画素開口率の減少という不具合を招くことがなく、明るい画像を表示することが依然可能である。したがって、本態様によっても、当然ならが、固定電位側容量電極の大面積化による低抵抗化を図ることができるのである。
【００３２】
この態様では特に、前記固定電位側容量電極は、平面的にみて、格子状に形成されているようにするとよい。
【００３３】
このような構成によれば、例えば、前記の走査線及びデータ線が、格子状に形成されている場合において、該走査線及びデータ線が形成されている非開口領域に沿うように、固定電位側容量電極が形成されることになる。これによれば、「少なくともデータ線に沿って」形成されるという場合の一態様である、「データ線のみに沿って」形成される場合よりも、固定電位側容量電極の更なる低抵抗化が図れることになるし、また、ほぼ非開口領域のみに固定電位側容量電極を存在させるような形をとることが可能となることから、画像への影響を極力抑えることができる。
【００３４】
また、固定電位側容量電極が「少なくともデータ線に沿って」形成される態様と、「格子状」に形成される態様では特に、前記固定電側容量電極が沿って形成されるデータ線は、一時に画像信号の供給対象とされるデータ線の組のうち、当該組の両端に位置するデータ線を含むようにするとよい。
【００３５】
このような構成によれば、例えば、シリアル−パラレル変換を受けた画像信号を、グループ毎の複数のデータ線に対して供給する場合において、上述したような容量カップリングの問題を生じさせないようにすることが可能である。以下、その事情を詳しく説明する。
【００３６】
まず一般に、データ線に対する画像信号の供給方法としては種々のものが提案されているが、その中には、隣接する複数のデータ線をグループ分けした上で、該グループ毎に同時に画像信号を供給する方法がある。ところが、この場合、画像信号の供給を現に受けているグループ（以下、「供給グループ」という。）と、それに隣接するグループ（以下、「非供給グループ」という。）との間において、当該位置に対応して延在するデータ線にほぼ沿った形で、画像上に表示ムラが現れるという不具合があったのである。
【００３７】
これは、前記供給グループと前記非供給グループとのちょうど端境に存在する画素電極において、画像信号に正確に対応した電界が結果的に印加されないことによる。より詳しくは、この場合、当該画素電極の一方の端には、画像信号が供給されるデータ線が存在し、他方の端には画像信号が供給されないデータ線が存在するということになるから、当該画素電極に対して、画像信号に対応した正確な電界を印加したとしても、当該画素電極と前記画像信号が供給されないデータ線との間における容量カップリングの影響で、その電位に変動が生じるのである。ちなみに、供給グループ内にあって、前記端境に位置しない画素電極における電位については、そのような不都合は生じないことになる。
【００３８】
ここで、本態様においては特に、「一時に画像信号の供給対象とされるデータ線の組」、すなわち供給グループのうち、その両端に位置するデータ線については、該データ線に沿って前述した固定電位側容量電極が形成されているのである。ここに、「両端に位置するデータ線」とは、上述にいう供給グループと非供給グループとのちょうど端境に存在する画素電極と、容量カップリングを生じさせるおそれのあるデータ線ということになる。
【００３９】
したがって、本態様によれば、当該データ線について、画素電位側容量電極との容量カップリングを生じさせるおそれを殆どなくすことが可能となり、もって上述のようなデータ線にほぼ沿った形の表示ムラの発生を解消することが可能となるのである。
【００４０】
本発明の電気光学装置の他の態様では、前記画素電位側容量電極は、遮光性材料からなる。
【００４１】
この態様によれば、固定電位側容量電極が透明導電性材料からなることによる不都合を有効に解消することが可能となる。すなわち、従来においては、固定電位側容量電極を遮光性材料からなる構成とすることで、薄膜トランジスタに対する光入射を未然に防止し、光リーク電流の発生を防止していたところ、本発明では、固定電位側容量電極を透明導電性材料からなるようにしているため、もはやその遮光性能を期待することができないが、該固定電位側容量電極に対向配置される画素電位側容量電極を遮光性材料からなるようにすれば、従前と略同様にして、薄膜トランジスタに対する光入射を未然に防止することが可能となるのである。
【００４２】
したがって、本態様によれば、薄膜トランジスタのチャネル領域において、光リーク電流を発生させることが殆どなく、フリッカ等のない高品質な画像を表示することが可能となる。
【００４３】
なお、このような遮光性材料の例としては、例えば、Ｔｉ（チタン）、Ｃｒ（クロム）、Ｗ（タングステン）、Ｔａ（タンタル）、Ｍｏ（モリブデン）等の高融点金属のうちの少なくとも一つを含む、金属単体、合金、金属シリサイド、ポリシリサイド等がある。
【００４４】
この態様では特に、前記画素電位側容量電極は、多層構造を有するようにするとよい。
【００４５】
このような構成によれば、例えば、該画素電位側容量電極を、導電性のポリシリコン層からなる層と遮光性材料からなる層との二層構造などとすることが可能である。この場合、ポリシリコンからなる層を、該画素電位側容量電極と薄膜トランジスタの半導体層との直接的な接続を図るために利用することによって、遮光性材料が直接的に前記半導体層と接続されることによって被る不都合、すなわち両者間でいわゆる電食が生じ最終的に電気的な導通が不可能となるなどといった不具合を被る可能性を極力抑制することが可能となる。
【００４６】
ちなみに、上述にいう「電食」とは、導電性を有するポリシリコン中に含まれる、例えばＰ（リン）等の元素が、遮光性材料たるＷＳｉ等に吸い上げられる現象を言う。この場合、両材料間の界面では、単結晶シリコンが形成されるなどして絶縁性を有するようになり、最終的には、両者間の導電性が保たれなくなってしまう。本態様では、このような事態の発生を未然に回避することが可能となるのである。
【００４７】
なお、本態様にいう「多層構造」としては、上述の他、種々の形態が考えられ得ることは言うまでもない。例えば、基本的には、上述のように、導電性のポリシリコンからなる層と遮光性材料からなる層との二層構造としつつも、このうち遮光性材料からなる層については、これを更に、上層は光反射性の高い材料で、下層は光吸収性の高い材料で構成する等の構造としてもよい（すなわち、この場合においては、実質的に三層構造となる。）。
【００４８】
本発明の電気光学装置の他の態様では、前記固定電位側容量電極の厚さは、５０〜５００ｎｍである。
【００４９】
この態様によれば、例えば、固定電位側容量電極が、開口領域に至るような形で形成されるとしても、該固定電位側容量電極の厚さが、該開口領域を透過する光の妨げにならない、すなわち電気光学装置全体の透明性の維持にとって好適な範囲内に限定されることになる。したがって、本態様によれば、透明性の低下による画像品質の低下を極力回避することが可能となる。なお、このような厚さの限定は、固定電位側容量電極が、ベタ状に形成される場合において、特に有効となる。
【００５０】
本発明の電気光学装置の他の態様では、前記固定電位側容量電極下に位置する層間絶縁膜の表面には、平坦化処理が施されている。
【００５１】
この態様によれば、固定電位側容量電極を平坦に形成することが可能となり、例えば段差に起因するカバーレッジの悪化等によって、固定電位側容量電極の一部に亀裂を生じさせるようなことがない。これにより、容量カップリングの影響の、より有効な排除が可能となる。
【００５２】
なお、「平坦化処理」とは、例えば、ＣＭＰ（Chemical Mechanical Polishing）処理、あるいはエッチバック処理等が該当し得る。
【００５３】
本発明の電気光学装置の他の態様では、前記固定電位側容量電極に代えて又は加えて、前記画素電位側容量電極が透明導電性材料からなる。
【００５４】
この態様によれば、画素電位側容量電極について、固定電位側容量電極が透明導電性材料からなる場合について上述したのと略同様な作用効果を享受することが可能である。すなわち、画素電位側容量電極を大面積化することによって、これについての配線遅延の問題を有効に解消し得る。そして、その大面積化によっても画像の明るさを著しく損ねることなく画像の品質を高位に保つことが可能となるのである。
【００５５】
本発明の電子機器は、上述した本発明の電気光学装置（ただし、その各種態様を含む。）を具備してなる。
【００５６】
本発明の電子機器によれば、上述した本発明の電気光学装置を具備してなるから、固定電位側容量電極の配線遅延が問題とならないことにより、高品位な画像を表示することの可能な、投射型表示装置（液晶プロジェクタ）、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネル等の各種電子機器を実現することができる。
【００５７】
本発明のこのような作用及び他の利得は次に説明する実施の形態から明らかにされる。
【００５８】
【発明の実施の形態】
以下では、本発明の実施の形態について図を参照しつつ説明する。以下の実施形態は、本発明の電気光学装置を液晶装置に適用したものである。
【００５９】
（第１実施形態）
まず、本発明の第１実施形態における電気光学装置の画素部における構成について、図１から図３を参照して説明する。ここに、図１は、電気光学装置の画像表示領域を構成するマトリクス状に形成された複数の画素における各種素子、配線等の等価回路である。また、図２は、データ線、走査線、画素電極等が形成されたＴＦＴアレイ基板の相隣接する複数の画素群の平面図であり、図３は、図２のＡ−Ａ´断面図である。なお、図３においては、各層・各部材を図面上で認識可能な程度の大きさとするため、該各層・各部材ごとに縮尺を異ならしめてある。
【００６０】
図１において、第１実施形態における電気光学装置の画像表示領域を構成するマトリクス状に形成された複数の画素には、それぞれ、画素電極９ａと当該画素電極９ａをスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、…、Ｓｎは、この順に線順次に供給しても構わないし、相隣接する複数のデータ線６ａ同士に対して、グループ毎に供給するようにしてもよい。
【００６１】
また、ＴＦＴ３０のゲートに走査線３ａが電気的に接続されており、所定のタイミングで、走査線３ａにパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎを所定のタイミングで書き込む。
【００６２】
画素電極９ａを介して電気光学物質の一例としての液晶に書き込まれた所定レベルの画像信号Ｓ１、Ｓ２、…、Ｓｎは、対向基板に形成された対向電極との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射する。
【００６３】
ここで保持された画像信号がリークするのを防ぐために、画素電極９ａと対向電極との間に形成される液晶容量と並列に蓄積容量７０を付加する。この蓄積容量７０は、走査線３ａに並んで設けられ、定電位に固定された固定電位側容量電極としての透明電極３００を含んでいる。なお、第１実施形態においては、後述するように、透明電極３００がベタ状に形成されていることに特徴がある（図１は回路図であることから、該透明電極３００は図式的に線状に描かれている。）。
【００６４】
以下では、上記データ線６ａ、走査線３ａ、ＴＦＴ３０等による、上述のような回路動作が実現される電気光学装置の、より現実的な構成について、図２及び図３を参照して説明する。
【００６５】
まず、第１実施形態に係る電気光学装置は、図２のＡ−Ａ´線断面図たる図３に示すように、透明なＴＦＴアレイ基板１０と、これに対向配置される透明な対向基板２０とを備えている。ＴＦＴアレイ基板１０は、例えば、石英基板、ガラス基板、シリコン基板からなり、対向基板２０は、例えばガラス基板や石英基板からなる。
【００６６】
図３に示すように、ＴＦＴアレイ基板１０には、画素電極９ａが設けられており、その上側には、ラビング処理等の所定の配向処理が施された配向膜１６が設けられている。画素電極９ａは、例えばＩＴＯ膜等の透明導電性膜からなる。他方、対向基板２０には、その全面に渡って対向電極２１が設けられており、その下側には、ラビング処理等の所定の配向処理が施された配向膜２２が設けられている。このうち対向電極２１もまた、上述の画素電極９ａと同様に、例えばＩＴＯ膜等の透明導電性膜からなる。なお、前記の配向膜１６及び２２は、例えば、ポリイミド膜等の透明な有機膜からなる。
【００６７】
一方、図２において、前記画素電極９ａは、ＴＦＴアレイ基板１０上に、マトリクス状に複数設けられており（図中破線により、画素電極９ａの縁部９ａ´が示されている）、画素電極９ａの縦横の境界に各々沿ってデータ線６ａ及び走査線３ａが設けられている。データ線６ａは、アルミニウム膜等の金属膜あるいは合金膜からなる。また、走査線３ａは、半導体層１ａのうち図中右上がりの斜線領域で示したチャネル領域１ａ´に対向するように配置されており、走査線３ａはゲート電極として機能する。すなわち、走査線３ａとデータ線６ａとの交差する箇所にはそれぞれ、チャネル領域１ａ´に走査線３ａの本線部がゲート電極として対向配置された画素スイッチング用のＴＦＴ３０が設けられている。
【００６８】
ＴＦＴ３０は、図３に示すように、ＬＤＤ（Lightly Doped Drain）構造を有しており、その構成要素としては、上述したようにゲート電極として機能する走査線３ａ、例えばポリシリコン膜からなり走査線３ａからの電界によりチャネルが形成される半導体層１ａのチャネル領域１ａ´、走査線３ａと半導体層１ａとを絶縁するゲート絶縁膜を含む絶縁膜２、半導体層１ａにおける低濃度ソース領域１ｂ及び低濃度ドレイン領域１ｃ並びに高濃度ソース領域１ｄ及び高濃度ドレイン領域１ｅを備えている。
【００６９】
なお、ＴＦＴ３０は、好ましくは図３に示したようにＬＤＤ構造をもつが、低濃度ソース領域１ｂ及び低濃度ドレイン領域１ｃに不純物の打ち込みを行わないオフセット構造をもってよいし、走査線３ａの一部からなるゲート電極をマスクとして高濃度で不純物を打ち込み、自己整合的に高濃度ソース領域及び高濃度ドレイン領域を形成するセルフアライン型のＴＦＴであってもよい。また、第１実施形態では、画素スイッチング用ＴＦＴ３０のゲート電極を、高濃度ソース領域１ｄ及び高濃度ドレイン領域１ｅ間に１個のみ配置したシングルゲート構造としたが、これらの間に２個以上のゲート電極を配置してもよい。このようにデュアルゲート、あるいはトリプルゲート以上でＴＦＴを構成すれば、チャネルとソース及びドレイン領域との接合部のリーク電流を防止でき、オフ時の電流を低減することができる。さらに、ＴＦＴ３０を構成する半導体層１ａは非単結晶層でも単結晶層でも構わない。単結晶層の形成には、貼り合わせ法等の公知の方法を用いることができる。半導体層１ａを単結晶層とすることで、特に周辺回路の高性能化を図ることができる。
【００７０】
一方、図３においては、蓄積容量７０が、ＴＦＴ３０の高濃度ドレイン領域１ｅ及び画素電極９ａに接続された画素電位側容量電極としての中継層７１と、固定電位側容量電極としての透明電極３００とが、誘電体膜７５を介して対向配置されることにより形成されている。この蓄積容量７０によれば、画素電極９ａにおける電位保持特性を顕著に高めることが可能となる。
【００７１】
そして、第１実施形態においては特に、蓄積容量７０を構成する固定電位側容量電極として、例えば例えばＩＴＯ、ＩＺＯ等の透明導電性材料からなる透明電極３００が、図２及び図３、あるいは図４の斜視図に示すように、ＴＦＴアレイ基板１０の全面に関して、ベタ状に形成されている。ここに図４は、第１実施形態における透明電極３００をはじめとする、その周囲の構成の配置態様を立体的に示した斜視図である。なお、図４では、該透明電極３００の具体的態様を図示することを主な目的としているため、ＴＦＴ３０の半導体層１ａ、コンタクトホール８１及び８５、並びに中継層７１のみを図示している。
【００７２】
この全面ベタ状の透明電極３００には、図２乃至図４に示すように、画素電極９ａ及び中継層７１間を電気的に接続するコンタクトホール８５、並びに、ＴＦＴ３０の高濃度ソース領域１ｄ及びデータ線６ａ間を電気的に接続するコンタクトホール８１が形成される位置に対応して孔３００ａが形成されている。これにより、中継層７１及び画素電極９ａ間並びにＴＦＴ３０及びデータ線６ａ間の電気的な接続は何ら障害なく実現することが可能となっている。なお、この孔３００ａは精度高く形成される必要はない。コンタクトホール８１又は８５の孔径に概ね一致するように形成すればよいのである。
【００７３】
また、この透明電極３００の厚さは、第１実施形態に係る電気光学装置の透明性を可能な限り維持するという要請からすると、できる限り薄くすることが好ましく、より具体的には例えば、５０〜５００ｎｍの範囲にあるとするのが好ましい。これによって、ＴＦＴアレイ基板１０及び対向基板２０からなる電気光学装置全体についての透明性を十分に確保すること、すなわち対向基板２０側からＴＦＴアレイ基板１０側へ抜ける光の透過に障害を生じさせないことが可能となる。
【００７４】
さらに、この透明電極３００は、画素電極９ａが配置された画像表示領域１０ａからその周囲に延設され、定電位源と電気的に接続されて、固定電位とされる。このような定電位源としては、データ線駆動回路１０１に供給される正電源や負電源の定電位源でもよいし、対向基板２０の対向電極２１に供給される定電位でも構わない。また、より具体的には、第１実施形態に係る電気光学装置が、＋Ｖボルト及び−Ｖボルトという反転したレベルの二つの信号で交互に駆動される場合においては、これら＋Ｖボルト及び−Ｖボルトの中間の電位（以下、「ＬＣＣＯＭ電位」という。）を供給する電源に、第１実施形態に係る透明電極３００を接続してもよい。
【００７５】
一方、蓄積容量７０を構成する画素電位側容量電極たる中継層７１は、図２乃至図４に示すように、誘電体膜７５を介して、前述の透明電極３００に対向配置されている。そして、この中継層７１は、遮光性材料からなる層（以下、「遮光層」という。）７１１及び導電性のポリシリコン膜からなる層（以下、「ポリシリコン層」という。）７１２という二層構造を有している。このうち、遮光層７１１は、例えば、Ｔｉ（チタン）、Ｃｒ（クロム）、Ｗ（タングステン）、Ｔａ（タンタル）、Ｍｏ（モリブデン）等の高融点金属のうちの少なくとも一つを含む、金属単体、合金、金属シリサイド、ポリシリサイド等の遮光性材料からなる。
【００７６】
なお、中継層７１は、画素電位側容量電極としての機能のほか、コンタクトホール８３及び８５を介して、画素電極９ａとＴＦＴ３０の高濃度ドレイン領域１ｅとを中継接続する機能をもつ。このように中継層７１を利用すれば、層間距離が例えば２０００ｎｍ程度と長くても、両者間を一つのコンタクトホールで接続する技術的困難性を回避しつつ、比較的小径の二つ以上の直列なコンタクトホールで両者間を良好に接続することができ、画素開口率を高めることが可能となる。また、コンタクトホール開孔時におけるエッチングの突き抜け防止にも役立つ。
【００７７】
最後に、蓄積容量７０を構成するもう一つの構成たる誘電体膜７５は、図３に示すように、例えば膜厚５〜２００ｎｍ程度の比較的薄いＨＴＯ（High Temperature Oxide）膜、ＬＴＯ（Low Temperature Oxide）膜等の酸化シリコン膜、あるいは窒化シリコン膜等から構成される。蓄積容量７０を増大させる観点からは、膜の信頼性が十分に得られる限りにおいて、誘電体膜７５は薄いほどよい。
【００７８】
図２及び図３においては、上記のほか、ＴＦＴ３０の下側に、下側遮光膜１１ａが設けられている。下側遮光膜１１ａは、格子状にパターニングされており、これにより各画素の開口領域を規定している。このような下側遮光膜１１ａを設けることにより、ＴＦＴ３０に対する下側からの光入射を未然に防止することが可能となる。そして、第１実施形態においては、中継層７１を構成する遮光層７１１が備えられていたから、結局、ＴＦＴ３０に対する上側及び下側の両側からの光入射を未然に防止することが可能となるのである。なお、下側遮光膜１１ａについては、前述の透明電極３００の場合と同様に、その電位変動がＴＦＴ３０に対して悪影響を及ぼすことを避けるために、画像表示領域からその周囲に延設して定電位源に接続するとよい。
【００７９】
また、ＴＦＴ３０下には、下地絶縁膜１２が設けられている。下地絶縁膜１２は、下側遮光膜１１ａからＴＦＴ３０を層間絶縁する機能のほか、ＴＦＴアレイ基板１０の全面に形成されることにより、ＴＦＴアレイ基板１０の表面研磨時における荒れや、洗浄後に残る汚れ等で画素スイッチング用のＴＦＴ３０の特性変化を防止する機能を有する。
【００８０】
加えて、走査線３ａ上には、高濃度ソース領域１ｄへ通じるコンタクトホール８１及び高濃度ドレイン領域１ｅへ通じるコンタクトホール８３がそれぞれ開孔された第１層間絶縁膜４１が形成されている。
【００８１】
第１層間絶縁膜４１上には、中継層７１及び透明電極３００が形成されており、これらの上には高濃度ソース領域１ｄへ通じるコンタクトホール８１及び中継層７１へ通じるコンタクトホール８５がそれぞれ開孔された第２層間絶縁膜４２が形成されている。
【００８２】
なお、第１実施形態では、第１層間絶縁膜４１に対しては、約１０００℃の焼成を行うことにより、半導体層１ａや走査線３ａを構成するポリシリコン膜に注入したイオンの活性化を図ってもよい。他方、第２層間絶縁膜４２に対しては、このような焼成を行わないことにより、透明電極３００の界面付近に生じるストレスの緩和を図るようにしてもよい。
【００８３】
第２層間絶縁膜４２上には、データ線６ａが形成されており、これらの上には中継層７１へ通じるコンタクトホール８５が形成された第３層間絶縁膜４３が形成されている。この第３層間絶縁膜４３は、ＣＭＰ（Chemical Mechanical Polishing）処理等により平坦化されており、その下方に存在する各種配線や素子等による段差に起因する液晶層５０の配向不良を低減することが可能となる。ただし、このように第３層間絶縁膜４３に平坦化処理を施すのに代えて、又は加えて、ＴＦＴアレイ基板１０、下地絶縁膜１２、第１層間絶縁膜４１及び第２層間絶縁膜４２のうち少なくとも一つに溝を掘って、データ線６ａ等の配線やＴＦＴ３０等を埋め込むことにより、平坦化処理を行ってもよい。
【００８４】
このような構成となる第１実施形態の電気光学装置においては、上記透明電極３００の存在を要因として、次のような作用効果が奏されることとなる。
【００８５】
まず、蓄積容量７０を構成する固定電位側容量電極が、ＴＦＴアレイ基板１０の全面に関して、ベタ状に形成された透明電極３００とされていることから、配線遅延が問題とならない。このような透明電極３００が、高い電気抵抗値を有することはもはや考えにくいからである。したがって、第１実施形態によれば、画像上にクロストークやフリッカ等を生じさせることない高品質な画像を表示することが可能となるのである。
【００８６】
また、図３及び図４からもわかるとおり、第１実施形態における全面ベタ状の透明電極３００は、データ線６ａと中継層７１との間に位置する関係にあるように形成されているから、これら両者間で容量カップリングを生じさせる可能性を低減することが可能となる。これにより、中継層７１と同電位となる画素電極９ａの電位もまた、好適に維持することが可能となるから、例えば、データ線６ａに沿った形の表示ムラ等を発生させる可能性を低減することが可能となる。したがって、第１実施形態によれば、この点からも、高品質な画像を表示することができるのである。
【００８７】
さらに、第１実施形態においては、中継層７１が遮光層７１１を備えていたことにより、ＴＦＴ３０に対する光遮蔽に係る作用効果も発揮されることになる。これにより、ＴＦＴ３０のチャネル領域１ａ´における光リーク電流の発生を抑制することが可能となるから、フリッカ等のない高品質な画像を表示することが可能となる。
【００８８】
加えて、該中継層７１は、前述の遮光層７１を上層とするとともに、その下層としてポリシリコン層７１１を有する二層構造となっていたことにより、次のような作用効果が奏される。すなわち、仮に、中継層７１が遮光層７１１の一層のみからなる場合を考えると、該中継層７１とＴＦＴ３０を構成する半導体層１ａの高濃度ドレイン領域１ｅとの電気的接続は、該遮光層７１１を介して行わざるを得ず、この場合において、例えば該遮光層７１１が、ＷＳｉ等の高融点金属等からなると、半導体層１ａと遮光層７１１との間でいわゆる電食が生じ、時間の経過とともに両者間の電気的導通が図れなくなる可能性が高くなる。しかるに、第１実施形態においては、図３及び図４に示すように、該中継層７１とＴＦＴ３０の高濃度ドレイン領域１ｅとの電気的な接続の実現にあたり、直接的に接触するのは、高濃度ドレイン領域１ｅと該中継層７１中のポリシリコン層７１２とであることにより、上述のような問題が生じないのである（図３のコンタクトホール８３を参照）。
【００８９】
以上を要するに、第１実施形態によれば、ベタ状の透明電極３００によって実現されるところの固定電位側容量電極の低抵抗化と、中継層７１が備える遮光層７１１によって実現されるところのＴＦＴ３０に対する遮光という相反する要請を同時に実現しているということができる。
【００９０】
更に加えて、第１実施形態では、透明電極３００がＴＦＴアレイ基板１０上にベタ状に形成されていることにより、データ線６ａ及び中継層７１間の容量カップリングの発生を抑制することで画素電極９ａの電位を安定させ、かつ、中継層７１がポリシリコン層７１２を含むことにより、中継層７１が本来備えるべき、ＴＦＴ３０及び画素電極９ａ間の電気的な中継機能を滞りなく実現することもできるのである。
【００９１】
なお、上記第１実施形態においては、蓄積容量７０が、ＴＦＴアレイ基板１０上で、下から順に、画素電位側容量電極としての中継層７１、誘電体膜７５及び固定電位側容量電極としての透明電極３００という積層構造をなしていたが、本発明は、このような形態に限定されるものではない。例えば、この逆に、下から順に、透明電極３００、誘電体膜７５及び中継層７１という積層構造を構成してもよい。ただし、この場合においては、透明電極３００がデータ線６ａ及び中継層７１間に位置しないことになるから、上述した容量カップリングに関する作用効果は得られないことになる。しかしながら、この場合更に、データ線６ａを当該透明電極３００の更に下側に位置させることは必ずしも不可能ではないので、そのような場合であれば、上述の「逆」の積層構造をとったとしても、容量カップリングに関する作用効果が同様に奏されることとなる。
【００９２】
また、上記第１実施形態においては触れなかったが、場合により、第１層間絶縁膜４１の表面に対して、その上に蓄積容量７０を形成する前に、ＣＭＰ処理等の平坦化処理を実施してもよい。このようにすれば、中継層７１、誘電体膜７５、そして透明電極３００を平坦に形成することが可能となるから、該透明電極３００をベタ状に形成する第１実施形態において、その内部の領域に段差を生じさせることがなく、例えばクラック等の発生を回避することが可能となる。
【００９３】
さらに、上記第１実施形態では、蓄積容量７０において、固定電位側容量電極としての機能を有する側の電極のみについて、これを透明電極３００とする形態について述べたが、本発明はこのような形態に限定されるものではなく、場合によっては、画素電位側容量電極としての機能を有する中継層７１についてもまた、ＩＴＯ、ＩＺＯ等の透明導電性材料からなる形態としてもよい。このような形態によれば、画素電位側容量電極についても配線遅延の問題を有効に解消することが可能である。
【００９４】
（第２実施形態）
以下では、本発明の第２の実施形態について、図５を参照しながら説明する。ここに、図５は、図２と同趣旨の図であって、同図とは透明電極の形態が異なるものを示す平面図である。なお、この第２実施形態に係る電気光学装置の構成は、後の説明で特に断りがない限り、上述の第１実施形態と全く同様であるので、図面上同一の符号が示されているものについては、その説明を省略することとする。このことは、後述する第３以降の各実施形態においても同様である。
【００９５】
第２実施形態では、第１実施形態において透明電極３００がＴＦＴアレイ基板１０の全面に関してベタ状に形成されていたのに代えて、図５に示すように、走査線３ａ及びデータ線６ａの形成領域に対応するように、格子状に形成された透明電極３０１が備えられている。
【００９６】
ここで、第２実施形態に係る透明電極３０１は、走査線３ａ及びデータ線６ａの形態領域内に、いわば完全に閉じ込めるようにして形成する必要はない。言い換えると、透明電極３０１の縁部３０１ａと画素電極９ａの縁部９ａ´とは、図５に示すように、相当程度重なり合っていてもよいのである。なぜなら、このような形態としても、透明電極３０１は「透明」であるから、開口領域を通過する光の妨げにはならず、画像上に重大な悪影響を及ぼさないからである。
【００９７】
したがって、このような形態であっても、上記第１実施形態で得られた、固定電位側容量電極の低抵抗化という作用効果は略同様に得られることになる。
【００９８】
また、このような形態でも、固定電位とされた透明電極３０１が、データ線６ａ及び中継層７１間に存在していることは上記第１実施形態と変わりなく、したがって、これら両者間における容量カップリングの発生を防止することができるから、高品質な画像の表示が可能となる。
【００９９】
（第３実施形態）
以下では、本発明の第３の実施形態について、図６を参照しながら説明する。ここに、図６は、図２と同趣旨の図であって、同図とは透明電極の形態が異なるものを示す平面図である。
【０１００】
第３実施形態では、第２実施形態において透明電極３０１がすべてのデータ線６ａ上に存在するように、格子状に形成されていたのに代えて、図６に示すように、複数のデータ線６ａのうちから、例えば数本おきのデータ線６ａを選択し、当該データ線６ａ及び走査線３ａの形成領域に対応するように、格子状の透明電極３０２が備えられている。
【０１０１】
この際、上述の「選択」は、例えば以下のような基準で行うことができる。すなわち、複数のデータ線６ａに対し、隣接する複数のデータ線６ａの組に対して、パラレル信号たる画像信号を一時に供給する画像信号供給方法を考えた場合、該画像信号が一時に送給される一組のデータ線６ａ（供給グループ）のうち、その両端に位置するデータ線６ａ、などというようである。これによれば、当該供給グループと、該供給グループに画像信号が供給されている際、その両隣に位置する画像信号が供給されていない非供給グループとの端境に位置する画素電極９ａの電位の変動を未然に防止することが可能となる。というのは、上述のようなデータ線６ａに関して固定電位たる透明電極３０２を形成すれば、該データ線６ａと中継層７１との間で容量カップリングが生じるのを防止することができ、これにより、該中継層７１に電気的に接続された画素電極９ａの電位が変動することを防止することができるからである。
【０１０２】
要するに、上述のような基準で選択されたデータ線６ａに対して透明電極３０２を形成する形態によれば、容量カップリングの影響が最も生じやすい箇所に、固定電位たる透明電極３０２を形成することにより、画素電極９ａの電位変動を防止することで、高品質な画像を表示することが可能となるのである。
【０１０３】
（電気光学装置の全体構成）
以下では、以上のように構成された第１ないし第３実施形態における電気光学装置の全体構成を図７及び図８を参照して説明する。なお、図７は、ＴＦＴアレイ基板をその上に形成された各構成要素とともに対向基板２０の側からみた平面図であり、図８は図７のＨ−Ｈ´断面図である。
【０１０４】
図７及び図８において、本実施形態に係る電気光学装置では、ＴＦＴアレイ基板１０と対向基板２０とが対向配置されている。ＴＦＴアレイ基板１０と対向基板２０との間には、液晶層５０が封入されており、ＴＦＴアレイ基板１０と対向基板２０とは、画像表示領域１０ａの周囲に位置するシール領域に設けられたシール材５２により相互に接着されている。
【０１０５】
シール材５２は、両基板を貼り合わせるため、例えば紫外線硬化樹脂、熱硬化樹脂等からなり、紫外線、加熱等により硬化させられたものである。また、このシール材５２中には、本実施形態における電気光学装置を、液晶装置がプロジェクタ用途のように小型で拡大表示を行う液晶装置に適用するのであれば、両基板間の距離（基板間ギャップ）を所定値とするためのグラスファイバ、あるいはガラスビーズ等のギャップ材（スペーサ）が散布されている。あるいは、当該電気光学装置を液晶ディスプレイや液晶テレビのように大型で等倍表示を行う液晶装置に適用するのであれば、このようなギャップ材は、液晶層５０中に含まれてよい。
【０１０６】
シール材５２の外側の領域には、データ線６ａに画像信号を所定のタイミングで供給することにより該データ線６ａを駆動するデータ線駆動回路１０１及び外部回路接続端子１０２がＴＦＴアレイ基板１０の一辺に沿って設けられており、走査線３ａに走査信号を所定のタイミングで供給することにより、走査線３ａを駆動する走査線駆動回路１０４が、この一辺に隣接する二辺に沿って設けられている。
【０１０７】
なお、走査線３ａに供給される走査信号遅延が問題にならないのならば、走査線駆動回路１０４は片側だけでもよいことは言うまでもない。また、データ線駆動回路１０１を画像表示領域１０ａの辺に沿って両側に配列してもよい。
【０１０８】
ＴＦＴアレイ基板１０の残る一辺には、画像表示領域１０ａの両側に設けられた走査線駆動回路１０４間をつなぐための複数の配線１０５が設けられている。また、対向基板２０のコーナ部の少なくとも一箇所においては、ＴＦＴアレイ基板１０と対向基板２０との間で電気的に導通をとるための導通材１０６が設けられている。
【０１０９】
図８において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１のほか、最上層部分に配向膜が形成されている。また、液晶層５０は、例えば一種又は数種類のネマテッィク液晶を混合した液晶からなり、これら一対の配向膜間で、所定の配向状態をとる。
【０１１０】
なお、ＴＦＴアレイ基板１０上には、これらのデータ線駆動回路１０１、走査線駆動回路１０４等に加えて、複数のデータ線６ａに画像信号を所定のタイミングで印加するサンプリング回路、複数のデータ線６ａに所定電圧レベルのプリチャージ信号を画像信号に先行して各々供給するプリチャージ回路、製造途中や出荷時の当該電気光学装置の品質、欠陥等を検査するための検査回路等を形成してもよい。
【０１１１】
また、データ線駆動回路１０１及び走査線駆動回路１０４をＴＦＴアレイ基板１０上に設ける代わりに、例えばＴＡＢ（Tape Automated Bonding）基板上に実装された駆動用ＬＳＩに、ＴＦＴアレイ基板１０の周辺部に設けられた異方性導電フィルムを介して電気的及び機械的に接続するようにしてもよい。また、対向基板２０の投射光が入射する側及びＴＦＴアレイ基板１０の出射光が出射する側には、それぞれ、例えばＴＮ（Twisted Nematic）モード、ＶＡ（Vertically Aligned）モード、ＰＤＬＣ（Polymer Dispersed Liquid Crystal）モード等の動作モードや、ノーマリーホワイトモード・ノーマリーブラックモードの別に応じて、偏光フィルム、位相差フィルム、偏光板等が所定の方向で配置される。
【０１１２】
（電子機器）
次に、以上詳細に説明した電気光学装置をライトバルブとして用いた電子機器の一例たる投射型カラー表示装置の実施形態について、その全体構成、特に光学的な構成について説明する。ここに、図９は、投射型カラー表示装置の図式的断面図である。
【０１１３】
図９において、本実施形態における投射型カラー表示装置の一例たる液晶プロジェクタ１１００は、駆動回路がＴＦＴアレイ基板上に搭載された液晶装置を含む液晶モジュールを３個用意し、それぞれＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーン１１２０にカラー画像として投射される。
【０１１４】
本発明は、上述した実施形態に限られるものではなく、請求の範囲及び明細書全体から読み取れる発明の要旨、あるいは思想に反しない範囲で適宜変更可能であり、そのような変更を伴う電気光学装置及び電子機器もまた、本発明の技術的範囲に含まれるものである。
【図面の簡単な説明】
【図１】  本発明の第１実施形態の電気光学装置における画像表示領域を構成するマトリクス状の複数の画素に設けられた各種素子、配線等の等価回路を示す回路図である。
【図２】  本発明の第１実施形態の電気光学装置におけるデータ線、走査線、画素電極等が形成されたＴＦＴアレイ基板の相隣接する複数の画素群の平面図である。
【図３】  図２のＡ−Ａ´断面図である。
【図４】  透明電極の配置態様を示した斜視図である。
【図５】  図２と同趣旨の図であるが、本発明の第２実施形態に係り、同図とは透明電極が格子状に形成されている点で異なる態様となる平面図である。
【図６】  図２と同趣旨の図であるが、本発明の第３実施形態に係り、同図とは透明電極が格子状に形成されている点で異なる（図５とも異なる。）態様となる平面図である。
【図７】  本発明の実施形態の電気光学装置におけるＴＦＴアレイ基板を、その上に形成された各構成要素とともに対向基板の側から見た平面図である。
【図８】  図７のＨ−Ｈ´断面図である。
【図９】  本発明の電子機器の実施形態である投射型カラー表示装置の一例たるカラー液晶プロジェクタを示す図式的断面図である。
【符号の説明】
３ａ…走査線
６ａ…データ線
９ａ…画素電極
１０…ＴＦＴアレイ基板
１１ａ…下側遮光膜
３０…ＴＦＴ
７０…蓄積容量
７１…中継層
７１１…遮光層
７１２…ポリシリコン層
７５…誘電体膜
３００、３０１、３０２…透明電極（本発明にいう「固定電位側容量電極」の一例に該当する。）
３００ａ…孔
８３、８５…コンタクトホール
【図１】
0004026398.tif 000002
【図２】
0004026398.tif 000003
【図３】
0004026398.tif 000004
【図４】
0004026398.tif 000005
【図５】
0004026398.tif 000006
【図６】
0004026398.tif 000007
【図７】
0004026398.tif 000008
【図８】
0004026398.tif 000009
【図９】
0004026398.tif 000010